(57)【要約】      （修正有）【課題】プリント基板の電気部品の冷却を効率よく行える電気機器筐体を実現する。【解決手段】電気部品が搭載され、端子台５０の下部に間隙を設けて両端に端子台が取り付けられるプリント基板１０と、このプリント基板と端子台とが取り付けられるケースベース６０と、このケースベースと端子台に取り付けられ、プリント基板を覆い、通風口７１が設けられるケースカバー７０とを有し、プリント基板と端子台とからなる間隙に通風を行う。【選択図】        図４
2004260022.tif 000002
【特許請求の範囲】
【請求項１】
少なくとも一列に複数の端子が設けられる端子台が両端に取り付けられる電気機器筐体において、
電気部品が搭載され、前記端子台の下部に間隙を設けて両端に端子台が取り付けられるプリント基板と、
このプリント基板と前記端子台とが取り付けられるケースベースと、
このケースベースと前記端子台に取り付けられ、プリント基板を覆い、通風口が設けられるケースカバーと
を有し、プリント基板と端子台とからなる間隙に通風を行うことを特徴とする電気機器筐体。
【請求項２】
少なくとも一列に複数の端子が設けられる端子台が両端に取り付けられる電気機器筐体において、
電気部品が搭載され、前記端子台の下部に間隙を設けて両端に端子台が取り付けられるプリント基板と、
このプリント基板と前記端子台とが取り付けられ、プリント基板と端子台とからなる間隙に通風が行える通風口を、端子台と共に形成するケースベースと、
このケースベースと前記端子台に取り付けられ、プリント基板を覆い、通風口が設けられるケースカバーと
を有することを特徴とする電気機器筐体。
【請求項３】
少なくとも一列に複数の端子が設けられる端子台が両端に取り付けられる電気機器筐体において、
電気部品が搭載され、前記端子台の下部に間隙を設けて両端に端子台が取り付けられるプリント基板と、
このプリント基板と前記端子台とが取り付けられ、プリント基板と端子台とからなる間隙に通風が行える通風口を形成するケースベースと、
このケースベースと前記端子台に取り付けられ、プリント基板を覆い、通風口が設けられるケースカバーと
を有することを特徴とする電気機器筐体。
【発明の詳細な説明】
【０００１】
【発明の属する技術分野】
本発明は、例えば、シーケンサや電力モニタ等に用いられる電気機器筐体に関し、プリント基板の電気部品の冷却を効率よく行える電気機器筐体に関するものである。
【０００２】
【従来の技術】
ＤＩＮレールや壁に取り付けられ、上下に端子台が設けられる電気機器筐体がある。例えば、シーケンサや電力モニタ等で、特許文献１等に記載されている。このような装置を図６に示し説明する。
【０００３】
図６において、プリント基板１０は、パワートランジスタ１１、コンデンサ１２、電子部品１３等が搭載されている。端子台２０は、プリント基板１０の両端に取り付けられ、複数の端子２１が一列に形成されている。端子２１は、プリント基板１０に電気的に接続し、端子金具２１１、ネジ２１２からなる。端子金具２１１はプリント基板１０にはんだ付けされる。ネジ２１２は、端子金具２１１に取り付けられる。ケースベース３０は、プリント基板１０が取り付けられる。ケースカバー４０は、通風口４１が両端に設けられ、端子台２０、ケースベース３０に図示しないラッチにより固定される。
【０００４】
このような装置の冷却は、通風口４１間を通る空気により、プリント基板１０のパワートランジスタ１１、コンデンサ１２、電子部品１３等を冷却していた。
【０００５】
【特許文献１】
特開平５−３３９３号公報
【０００６】
【発明が解決しようとする課題】
端子台２０の入力電圧が、高電圧、例えば４４０Ｖの場合、安全規格で定められている沿面距離を確保するために、端子２１間の隔壁を高くしなければならない。この結果、通風口４１の位置が高くなり、プリント基板１０に搭載された電気部品を効率よく冷却を行うことができず、電気部品、特にコンデンサは故障の原因になってしまうという問題点があった。
【０００７】
そこで、本発明の目的は、プリント基板の電気部品の冷却を効率よく行える電気機器筐体を実現することにある。
【０００８】
【課題を解決するための手段】
請求項１記載の本発明は、
少なくとも一列に複数の端子が設けられる端子台が両端に取り付けられる電気機器筐体において、
電気部品が搭載され、前記端子台の下部に間隙を設けて両端に端子台が取り付けられるプリント基板と、
このプリント基板と前記端子台とが取り付けられるケースベースと、
このケースベースと前記端子台に取り付けられ、プリント基板を覆い、通風口が設けられるケースカバーと
を有し、プリント基板と端子台とからなる間隙に通風を行うことを特徴とするものである。
請求項２記載の本発明は、
少なくとも一列に複数の端子が設けられる端子台が両端に取り付けられる電気機器筐体において、
電気部品が搭載され、前記端子台の下部に間隙を設けて両端に端子台が取り付けられるプリント基板と、
このプリント基板と前記端子台とが取り付けられ、プリント基板と端子台とからなる間隙に通風が行える通風口を、端子台と共に形成するケースベースと、
このケースベースと前記端子台に取り付けられ、プリント基板を覆い、通風口が設けられるケースカバーと
を有することを特徴とするものである。
請求項３記載の本発明は、
少なくとも一列に複数の端子が設けられる端子台が両端に取り付けられる電気機器筐体において、
電気部品が搭載され、前記端子台の下部に間隙を設けて両端に端子台が取り付けられるプリント基板と、
このプリント基板と前記端子台とが取り付けられ、プリント基板と端子台とからなる間隙に通風が行える通風口を形成するケースベースと、
このケースベースと前記端子台に取り付けられ、プリント基板を覆い、通風口が設けられるケースカバーと
を有することを特徴とするものである。
【０００９】
【発明の実施の形態】
以下図面を用いて本発明の実施の形態を説明する。図１は本発明の一実施例を示した構成斜視図、図２は端子５１の具体的構成を示した図である。
【００１０】
図１において、プリント基板１０は、図示しない電気部品が搭載され、切欠き部１４、穴１５，１６を有する。
【００１１】
端子台５０は、プリント基板１０の両端に取り付けられ、一列に複数の端子５１が設けられ、隔壁５２，５３、支持部５４、脚部隔壁５５、突起部５６、穴５７，５８が設けられる。
【００１２】
端子５１は、図２に示されるように、端子金具５１１、座金付きネジ５１２、ナット５１３からなる。端子金具５１１は、概略コ字形の板部５１１ａ、この板部５１１ａに設けられる穴５１１ｂ、板部５１１ａのコ字の一方の先端に設けられる脚部５１１ｃからなる。脚部５１１ｃはプリント基板１０の穴１５に挿入され、プリント基板１０にはんだ付けされる。ネジ５１２は、端子金具５１１の穴５１１ｂに挿入され、ナット５１３に嵌め合わされる。
【００１３】
隔壁５２は、端子５１が並べられる方向に設けられる。隔壁５３は、隔壁５２に対して垂直に複数設けられると共に、端子台５０の両端に設けられる端子５１以外においては、端子５１間に設けられる。つまり、隔壁５２，５３は、端子５１を概略コ字形に囲むように構成される。支持部５４は、プリント基板１０の穴１６に挿入され、プリント基板１０と端子台５０との間に間隙をつくり、端子台５０を支持する。脚部隔壁５５は、突起部５５１が設けられ、支持部５４と共に、プリント基板１０と端子台５０との間に間隙を作り、端子台５０を支持する。突起部５６は隔壁５２の背面に設けられる。穴５７は、一番端の一方の隔壁５３に設けられる。穴５８は穴５７が設けられる隔壁５３の反対側に、プリント基板１０に対して垂直に設けられる。
【００１４】
ケースベース６０は、箱状に形成され、プリント基板１０、端子台５０が取り付けられ、隔壁６１、切欠き部６２、係止部６３、溝部６４，６５、ナット６６を有する。隔壁６１は、切欠き部１４に対応する位置に設けられ、端子５１間の沿面距離を確保する。切欠き部６２は、端子台５０が取り付けられることにより、通風口を形成する。係止部６３は、端子台５０が取り付けられないケースベース６０の両端に設けられ、突起部６３１を有する。溝部６４は、脚部隔壁５５の突起部５５１が挿入され、端子台５０を固定する。溝部６５はナット６６が嵌められる。なお、ケースベース６０はＤＩＮレールに取り付けられるが、取付装置については説明を省略する。
【００１５】
ケースカバー７０は、箱状に形成され、端子台５０、ケースベース６０に取り付けられ、通風口７１、穴部７２、係止部７３を有する。ケースカバー７０には、例えば、上面に図示しない表示部やスイッチ等が設けられる。通風口７１は、端子台５０に対応する側面位置に設けられる。穴部７２は、係止部６３の突起部６３１が挿入され、ケースカバー７０をケースベース６０に固定する。係止部７３は、穴部７３１が設けられ、突起部５６が穴部７３１に挿入されることにより、端子台５０にケースカバー７０を固定する。
【００１６】
端子カバー８０は、概略板状に形成され、一端に係止部８１、他端にネジ８２が設けられ、端子台５０に取り付けられる。係止部８１は概略Ｌ字形に形成され、端子台５０の穴５７に嵌められる。ネジ８２は、端子台５０の穴５８に挿入され、ケースベース６０のナット６６に嵌め合わされる。
【００１７】
このような装置の組立動作を以下で説明する。図３は図１に示す装置の組立図である。端子台５０の端子５１をプリント基板１０の穴１５に挿入すると共に、支持部５４をプリント基板１０の穴１６に挿入する。そして、端子５１をプリント基板１０にはんだ付けする。そして、プリント基板１０、端子台５０をケースベース６０に嵌めて、端子台５０の脚部隔壁５５の突起部５５１を溝部６４に嵌めて、プリント基板１０と端子台５０をケースベース６０に固定する。これにより、図３に示すように、端子台５０と切欠き部６２とにより、通風口６６を構成する。
【００１８】
ケースカバー７０の穴７２にケースベース６０の係止部６３の突起部６３１を嵌めると共に、係止部７３の穴７３１に端子台５０の突起部５６を嵌める。これにより、ケースカバー７０を端子台５０、ケースベース６０に固定する。そして、端子カバー８０の係止部８１を端子台５０の穴５７に挿入し、ネジ８２を穴５８に挿入して、ナット６６にネジを嵌め合わせる。これにより、端子カバー８０を端子台５０に固定する。この結果、図３に示すように組み立てられる。
【００１９】
次に、冷却動作を説明する。図４は図１に示す装置の断面図、図５は図４の要部拡大図である。矢印ａに示すように、空気が通風口７１間を通り、内部の冷却を行う。また、矢印ｂ，ｃに示すように、空気が通風口７１を通り、プリント基板１０と端子台５０との間の間隙を通り、通風口６６から通り抜け、内部の冷却を行う。逆に、空気が通風口６６を通り、プリント基板１０と端子台５０の間の間隙を通り、内部の冷却を行う。また、矢印ｃに示すように、空気が通風口６６を通り、プリント基板１０と端子台５０との間の間隙を通り、反対側のプリント基板１０と端子台５０との間の間隙を通り、通風口６６から通り抜け、内部の冷却を行う。また、通風口６６からプリント基板１０とケースベース６０との隙間を空気が通り、プリント基板１０の裏面側も通風される。
【００２０】
このように、端子台５０がプリント基板１０に間隙を設けて取り付けられ、この間隙に、端子台５０とケースベース６０とにより形成される通風口６６から通風するので、プリント基板１０近傍に空気を通すことができ、プリント基板１０上の電気部品を効率的に冷却できる。
【００２１】
特に、端子台５０の端子５１が高電圧を扱う場合、沿面距離を確保するため、端子台５０の隔壁５２，５３が高くなり、ケースカバー７０の通風口７１の位置がプリント基板１０から離れ、プリント基板１０の電気部品の冷却効率が下がる。しかし、プリント基板１０と端子台５０との間に間隙が設けられ、通風口６６から通風が行われるので、高電圧を扱う場合でも、プリント基板１０上の電気部品を冷却することができる。これにより、電気部品、特に他の部品と比較して熱に弱いコンデンサの寿命を延ばすことができる。
【００２２】
なお、本発明はこれに限定されるものではなく、端子台５０とケースベース６０とにより通風口を形成する構成を示したが、ケースベース６０側に切欠き部６２でなく、通風口としての穴を設ける構成でもよい。
【００２３】
また、端子台５０は支持部５４と脚部隔壁５５が位置決めと支える構成を示したが、端子５１の脚部５１１ｃのみで位置決めと支える構成にしてもよい。
【００２４】
また、端子台５０をはんだ付けのみではなく、補助的にラッチやスナップフィットを用いてもよい。
【００２５】
【発明の効果】
本発明によれば、端子台がプリント基板に間隙を設けて取り付けられ、この間隙に、通風するので、プリント基板近傍に空気を通すことができ、プリント基板上の電気部品を効率的に冷却できるという効果がある。
【図面の簡単な説明】
【図１】本発明の一実施例を示した構成斜視図である。
【図２】端子５１の具体的構成を示した図である。
【図３】図１に示す装置の組立図である。
【図４】図１に示す装置の断面構成図である。
【図５】図４の要部拡大図である。
【図６】従来の電気機器筐体の構成を示した図である。
【符号の説明】
１０  プリント基板
５０  端子台
５１  端子
６０  ケースベース
６６，７１  通風口
７０  ケースカバー
【図１】
2004260022.tif 000003
【図２】
2004260022.tif 000004
【図３】
2004260022.tif 000005
【図４】
2004260022.tif 000006
【図５】
2004260022.tif 000007
【図６】
2004260022.tif 000008